(57)【要約】      （修正有）【課題】開口することが容易なチャック付き袋を提供する。【解決手段】チャック付き袋Ｍは、シート材料からなる第１、第２の四角形状部１１、１２を備え、第１、第２の四角形状部の上辺部ＡＢ、ａｂに沿って内側に設けられたチャック機構１０により再封止可能となっており、第１の四角形状部と第２の四角形状部は、対向する位置関係にあり、第１の四角形状部の下辺部ＣＤと上辺部ＡＢとの間隔寸法は、第２の四角形状部の下辺部ｃｄと上辺部ａｂとの間隔寸法より長く、第２の四角形状部の上辺部に第１の四角形状部に対向するように凸状部材Ｔが設けられ、この凸状部材は、第２の四角形状部の上辺部ａｂの略全体に亘っている。【選択図】図１
0003195962.tif 000002
【実用新案登録請求の範囲】
【請求項１】
シート材料からなる第１、第２の四角形状部を備え、前記第１、第２の四角形状部の上辺部に沿って内側に設けられたチャック機構により再封止可能となっているチャック付き袋であって、
前記第１の四角形状部は、正面視、四角形状で、
前記第２の四角形状部は、正面視、四角形状で、
前記第１の四角形状部と前記第２の四角形状部は、対向する位置関係にあり、
前記第１の四角形状部の下辺部と前記第１の四角形状部の上辺部との間隔寸法は、前記第２の四角形状部の下辺部と前記第２の四角形状部の上辺部との間隔寸法より長く、
前記第２の四角形状部の上辺部に前記第１の四角形状部に対向するように凸状部材が設けられ、
この凸状部材が前記第２の四角形状部の上辺部の略全体に亘っている
ことを特徴とするチャック付き袋。
【請求項２】
シート材料からなる第１、第２の四角形状部を備え、前記第１、第２の四角形状部の上辺部に沿って内側に設けられたチャック機構により再封止可能となっているチャック付き袋であって、
前記第１の四角形状部は、正面視、四角形状で、
前記第２の四角形状部は、正面視、四角形状で、
前記第１の四角形状部と前記第２の四角形状部は、対向する位置関係にあり、
前記第１の四角形状部の下辺部と前記第１の四角形状部の上辺部との間隔寸法は、前記第２の四角形状部の下辺部と前記第２の四角形状部の上辺部との間隔寸法よりＨ寸法だけ長く、
前記Ｈ寸法は、親指と人差し指で挟持できる寸法であり、
前記第２の四角形状部の上辺部に前記第１の四角形状部に対向するように凸状部材が設けられ、
この凸状部材が前記第２の四角形状部の上辺部の略全体に亘り、
前記第１の四角形状部の上辺部を一方の手の親指と人差し指で挟持し、前記第２の四角形状部の上辺部の凸状部材を他方の手の親指と人差し指で挟持し、前記第１の四角形状部の上辺部と前記第２の四角形状部の上辺部とが離間するように引っ張って前記チャック付き袋のチャック機構を解除する
ことを特徴とするチャック付き袋。
【請求項３】
チャック機構は、第１の四角形状部、第２の四角形状部の内、一方の四角形状部に  前記一方の四角形状部の上辺部に沿って設けられた凹状部材と、この凹状部材に挟合し、前記第１の四角形状部、第２の四角形状部の内、他方の四角形状部の上辺部に沿って設けられた凸状部材を有し、
前記第１の四角形状部及び前記第２の四角形状部の右辺部と左辺部の幅寸法が広げた手の親指と人差し指で前記第１の四角形状部及び前記第２の四角形状部の右辺部と左辺部を挟持できる寸法に設定されている
ことを特徴とする請求項１又は請求項２記載のチャック付き袋。
【請求項４】
凸状部材が外方に露出している
ことを特徴とする請求項１〜３のいずれかに記載のチャック付き袋。
【考案の詳細な説明】
【技術分野】
【０００１】
本考案は、チャック付き袋に係り、特に、開口することが容易なチャック付き袋に関する。
【背景技術】
【０００２】
従来、例えば、チャック機構により再封止可能となっているチャック付き袋がある（特許文献１）。
上記特許文献１記載のチャック付き袋を構成する一対の袋体の内、一方の袋体には、チャック機構の上方にリブ（突起）が設けられ、一対の袋体の上辺を他方の袋体から剥がし易くして、チャック付き袋が開口を容易としている。
また、市販されているチャック付き袋にあっては、チャック付き袋を構成する二つの袋体の内、一方の袋体の開放端部と他方の袋体の開放端部とを正面視で一致しないように、一方の袋体の開放端部を他方の袋体の開放端部より低い位置になるように長さに差を設けて、他方の袋体の開放端部を一方の袋体から剥がし易くして、チャック付き袋が開口を容易としている。
【先行技術文献】
【特許文献】
【０００３】
【特許文献１】特開２００７−１１９０３７号公報
【考案の概要】
【考案が解決しようとする課題】
【０００４】
しかしながら、上記のチャック付き袋の何れにおいても、シート材料が薄くて腰がないため、一方の袋体の上辺（他方の袋体の開放端部）が他方の袋体（一方の袋体の開放端部）に当接し、
他方の袋体の上辺（一方の袋体の開放端部）を一方の袋体（他方の袋体の開放端部）から離間するのが難しくチャック付き袋を開口しづらいという問題点があった。
【０００５】
本考案は、一方の袋体の開放端部（第２の四角形状部の上辺部）に凸状部材を設けて段差を形成し、この凸状部材の段差の分、前記一方の袋体の開放端部（第２の四角形状部の上辺部）の凸状部材を挟持し易くするという点に着目して、上記の問題点を除去するようにしたチャック付き袋を提供することを目的とする。
【課題を解決するための手段】
【０００６】
請求項１記載のチャック付き袋は、シート材料からなる第１、第２の四角形状部を備え、前記第１、第２の四角形状部の上辺部に沿って内側に設けられたチャック機構により再封止可能となっているチャック付き袋であって、前記第１の四角形状部は、正面視、四角形状で、前記第２の四角形状部は、正面視、四角形状で、前記第１の四角形状部と前記第２の四角形状部は、対向する位置関係にあり、前記第１の四角形状部の下辺部と前記第１の四角形状部の上辺部との間隔寸法は、前記第２の四角形状部の下辺部と前記第２の四角形状部の上辺部との間隔寸法より長く、前記第２の四角形状部の上辺部に前記第１の四角形状部に対向するように凸状部材が設けられ、この凸状部材が前記第２の四角形状部の上辺部の略全体に亘っているものである。
【０００７】
また、請求項２記載のチャック付き袋は、シート材料からなる第１、第２の四角形状部を備え、前記第１、第２の四角形状部の上辺部に沿って内側に設けられたチャック機構により再封止可能となっているチャック付き袋であって、前記第１の四角形状部は、正面視、四角形状で、前記第２の四角形状部は、正面視、四角形状で、前記第１の四角形状部と前記第２の四角形状部は、対向する位置関係にあり、前記第１の四角形状部の下辺部と前記第１の四角形状部の上辺部との間隔寸法は、前記第２の四角形状部の下辺部と前記第２の四角形状部の上辺部との間隔寸法よりＨ寸法だけ長く、前記Ｈ寸法は、親指と人差し指で挟持できる寸法であり、前記第２の四角形状部の上辺部に前記第１の四角形状部に対向するように凸状部材が設けられ、この凸状部材が前記第２の四角形状部の上辺部の略全体に亘り、前記第１の四角形状部の上辺部を一方の手の親指と人差し指で挟持し、前記第２の四角形状部の上辺部の凸状部材を他方の手の親指と人差し指で挟持し、前記第１の四角形状部の上辺部と前記第２の四角形状部の上辺部とが離間するように引っ張って前記チャック付き袋のチャック機構を解除するものである。
【０００８】
また、請求項３記載のチャック付き袋は、請求項１又は請求項２記載のチャック付き袋において、チャック機構は、第１の四角形状部、第２の四角形状部の内、一方の四角形状部に  前記一方の四角形状部の上辺部に沿って設けられた凹状部材と、この凹状部材に挟合し、前記第１の四角形状部、第２の四角形状部の内、他方の四角形状部の上辺部に沿って設けられた凸状部材を有し、前記第１の四角形状部及び前記第２の四角形状部の右辺部と左辺部の幅寸法が広げた手の親指と人差し指で前記第１の四角形状部及び前記第２の四角形状部の右辺部と左辺部を挟持できる寸法に設定されているものである。
【０００９】
また、請求項４記載のチャック付き袋は、請求項１〜３のいずれかに記載のチャック付き袋において、凸状部材が外方に露出しているものである。
【考案の効果】
【００１０】
請求項１記載のチャック付き袋によれば、第１の四角形状部の下辺部と前記第１の四角形状部の上辺部との間隔寸法は、第２の四角形状部の下辺部と前記第２の四角形状部の上辺部との間隔寸法より長いため、一方の手の親指と人差し指で第１の四角形状部の上辺部を挟持し易く、また、凸状部材が前記第２の四角形状部の上辺部であって、該上辺部の略全体に亘って設けられているため、他方の手の親指と人差し指で前記第２の四角形状部の上辺部の凸状部材の段差の分、前記第２の四角形状部の上辺部の凸状部材を挟持し易い。
その結果、第１の四角形状部の上辺部を一方の手の親指と人差し指で挟持し、前記第２の四角形状部の上辺部を他方の手の親指と人差し指で挟持し、前記第１の四角形状部の上辺部と前記第２の四角形状部の上辺部とが離間するように引っ張って前記チャック付き袋のチャック機構を容易に解除することができる。
【００１１】
また、請求項２記載のチャック付き袋によれば、第１の四角形状部の下辺部と前記第１の四角形状部の上辺部との間隔寸法は、第２の四角形状部の下辺部と前記第２の四角形状部の上辺部との間隔寸法よりＨ寸法だけ長く、前記Ｈ寸法は、人差し指で挟持できる寸法であるため、一方の手の親指と人差し指で第１の四角形状部の上辺部を挟持し易く、また、凸状部材が前記第２の四角形状部の上辺部であって、該上辺部の略全体に亘って設けられているため、他方の手の親指と人差し指で前記第２の四角形状部の上辺部の凸状部材の段差の分、前記第２の四角形状部の上辺部の凸状部材を挟持し易い。
その結果、第１の四角形状部の上辺部を一方の手の親指と人差し指で挟持し、前記第２の四角形状部の上辺部を他方の手の親指と人差し指で挟持し、前記第１の四角形状部の上辺部と前記第２の四角形状部の上辺部とが離間するように引っ張って前記チャック付き袋のチャック機構を容易に解除することができる。
【００１２】
また、請求項３記載のチャック付き袋によれば、上述した請求項１又は請求項２記載の考案の効果に加え、第１の四角形状部及び第２の四角形状部の右辺部と左辺部の幅寸法が広げた手の親指と人差し指で前記第１の四角形状部及び前記第２の四角形状部の右辺部と左辺部を挟持できる寸法に設定されているため、前記第１の四角形状部及び前記第２の四角形状部の右辺部と左辺部を親指の腹と人差し指の腹とで挟持して、親指と人差し指を近づけたり遠ざけたりしてチャック付き袋の開口部を開閉する際、凸状部材の一種のバネ作用により開閉動作をスムーズに行うことができる。
【図面の簡単な説明】
【００１３】
【図１】図１は、本考案の一実施例のチャック付き袋の概略的正面図である。
【図２】図２は、図１のチャック付き袋の概略的一部斜視図である。
【図３】図３は、図２の概略的断面図である。
【図４】図４は、図１のチャック付き袋の第１の四角形状部の上辺部を一方の手の親指と人差し指で、第２の四角形状部の上辺部を他方の手の親指と人差し指で、それぞれ挟持してチャック付き袋を開口する状態の概略的平面図である。
【図５】図５は、図１のチャック付き袋を開口した状態の概略的斜視図である。
【考案を実施するための形態】
【００１４】
本考案の一実施例のチャック付き袋を図面を参照して説明する。
【００１５】
図１〜図５に示すＭはチャック付き袋で、チャック付き袋Ｍは、シート材料からなる第１、第２の四角形状部１１、１２を備え、第１、第２の四角形状部１１、１２の上辺部１１ＡＢ、１２ａｂに沿って内側に設けられたチャック機構１０により再封止可能となっている。
【００１６】
第１の四角形状部１１は、図１に示すように、正面視、四角形状であり、また、第２の四角形状部１２は、正面視、四角形状で、第１の四角形状部１１と第２の四角形状部１２は、図３に示すように、対向する位置関係にある。
そして、第１の四角形状部１１の下辺部１１ＣＤと第１の四角形状部１１の上辺部１１ＡＢとの間隔寸法は、第２の四角形状部１２の下辺部１２ｃｄと第２の四角形状部１２の上辺部１２ａｂとの間隔寸法よりＨ寸法（例えば、約５ｍｍである。）だけ長くなっている。
【００１７】
また、図１〜図３に示すように、第２の四角形状部１２の上辺部１２ａｂの端部に第１の四角形状部１１に対向するように凸状部材Ｔが第２の四角形状部１２の上辺部１２ａｂの略全体に亘って設けられている。この凸状部材Ｔは、図３に示すように、外方に露出している。
【００１８】
また、チャック機構１０は、第１の四角形状部１１、第２の四角形状部１２の内、一方の四角形状部（本実施例では、第１の四角形状部１１）に、一方の四角形状部第１の四角形状部の上辺部（本実施例では、第１の四角形状部１１の上辺部１１ＡＢ）に沿って設けられた凹状部材１０Ａと、この凹状部材１０Ａに挟合し、第１の四角形状部１１、第２の四角形状部１２の内、他方の四角形状部の上辺部（本実施例では、本実施例では、第２の四角形状部１２の上辺部１２ａｂ）に沿って設けられた凸状部材(凸状部材の厚みは、例えば、約１ｍｍ)Ｔを有している。
【００１９】
なお、本願考案にあっては、第１の四角形状部１１及び第２の四角形状部１２の右辺部１１ＢＣ、１２ｂｃと左辺部１１ＤＡ、１２ｄａの幅寸法は、特に、限定されないが、望ましくは、第１の四角形状部１１及び第２の四角形状部１２の右辺部１１ＢＣ、１２ｂｃと左辺部１１ＤＡ、１２ｄａの幅寸法が、広げた手の親指と人差し指で第１の四角形状部１１及び第２の四角形状部１２の右辺部１１ＢＣ、１２ｂｃと左辺部１１ＤＡ、１２ｄａを挟持できる寸法（寸法は、例えば、約７ｃｍである。）に設定されているのが良い。
【００２０】
これは、第２の四角形状部１１の上辺部１２ａｂに沿って設けられた凸状部材Ｔのバネ作用を利用してチャック付き袋Ｍの開閉動作をスムーズに行わせるためである。
即ち、図１及び図５に示すように、第１の四角形状部１１及び第２の四角形状部１２の右辺部１１ＢＣ、１２ｂｃと左辺部１１ＤＡ、１２ｄａを親指の腹と人差し指の腹とで挟持して、親指と人差し指を近づけたり遠ざけたりしてチャック付き袋Ｍの開口部を開閉する際、つまり、親指と人差し指を近づけて凸状部材Ｔを利用してチャック付き袋Ｍの開口部がへたらないで所定形状に保持し、また、親指と人差し指を遠ざけると、凸状部材Ｔのバネ作用を利用してチャック付き袋Ｍの開口部を閉じ易くして、その開閉動作をスムーズに行うことができる。
【００２１】
従って、上述したチャック付き袋Ｍによれば、第１の四角形状部１１の下辺部１１ＣＤと第１の四角形状部１１の上辺部１１ＡＢとの間隔寸法は、第２の四角形状部１２の下辺部１２ｃｄと第２の四角形状部１２の上辺部１２ａｂとの間隔寸法より長い（例えば、Ｈ寸法、このＨ寸法は、人差し指で挟持できる寸法で、例えば、約５ｍｍである。）ため、一方の手の親指と人差し指で第１の四角形状部１１の上辺部１１ＡＢを挟持し易く、また、凸状部材Ｔが第２の四角形状部１２の上辺部１２ａｂであって、該上辺部１２ａｂの略全体に亘って設けられているため、他方の手の親指と人差し指で第２の四角形状部１２の上辺部１２ａｂの凸状部材Ｔの段差の分、第１の四角形状部１１の上辺部１１ＡＢを挟持し易くなる。
その結果、図１及び図４に示すように、第１の四角形状部１１の上辺部１１ＡＢを一方の手の親指と人差し指で挟持し、第２の四角形状部１２の上辺部１２ａｂを他方の手の親指と人差し指で挟持し、第１の四角形状部１１の上辺部１１ＡＢと第２の四角形状部１２の上辺部１２ａｂとが離間するように引っ張って、チャック付き袋Ｍのチャック機構１０を容易に解除し、チャック付き袋Ｍを開口することができることとなる。
【符号の説明】
【００２２】
Ｍ   チャック付き袋
Ｔ   凸状部材
１０   チャック機構
１１   第１の四角形状部
１２   第２の四角形状部
ＡＢ   第１の四角形状部の上辺部
ＣＤ   第１の四角形状部の下辺部
ａｂ   第２の四角形状部の上辺部
ｃｄ   第２の四角形状部の下辺部
【図１】
0003195962.tif 000003
【図２】
0003195962.tif 000004
【図３】
0003195962.tif 000005
【図４】
0003195962.tif 000006
【図５】
0003195962.tif 000007